(57)【特許請求の範囲】
【請求項１】
基体(１０)に掛回する搬送無端帯(１１)の移送作用部分に沿って位置するガイド杆(１３)を、前記移送作用部分に対して接近離間する方向に進退動自在に支承して、前記移送作用部分に接近する方向にバネ(１６)で弾圧付勢して構成される穀稈挟持搬送装置であって、前記ガイド杆(１３)を支承する支持体(１５)を、基体(１０)から延出する保持腕(１７)に設けた保持座(１８)にガイド杆(１３)の進退方向と同方向に移動できるように取付けて保持座(１８)との間に装設する掛止手段(２０)でもって任意の移動位置に固定維持できるようにしてある穀稈挟持搬送装置の挟持用穀稈ガイド支持装置において、前記ガイド杆(１３)を支承する支持体(１５)を、保持座(１８)に装設する案内軸(１９)に沿って内外方向に移動し得るように装架し、その支持体(１５)と保持座(１８)との間に装設する掛止手段(２０)を、支持体(１５)の上部窓(２１)から内挿して案内軸(１９)に軸装する板状レバ−(２２)と、板状レバ−(２２)と支持体(１５)の壁面間に介装する圧縮バネ(２５)とで構成し、板状レバ−(２２)を案内軸(１９)の軸心方向に起倒させることによって、支持体(１５)が案内軸(１９)に沿って内外方向に動き得る状態と、案内軸(１９)に対して掛止固定される状態とに変更できるようにしてある穀稈挟持搬送装置の挟持用穀稈ガイド支持装置。
【発明の詳細な説明】
【０００１】
【産業上の利用分野】
本発明は、自脱型コンバイン等における穀稈挟持搬送装置の挟持用穀稈ガイド支持装置に関するものである。
【０００２】
【従来の技術】
一般的に、自脱型コンバインの刈取部から脱穀部に向けての穀稈移送や、脱穀部での穀稈移送には、突起付チエ−ン又はベルト等の搬送無端帯とそれに対設される挟持用穀稈ガイドとの間に穀稈の株元部を挟み込んで確りと保持しながら移送する挟持搬送装置が用いられている。
【０００３】
【発明が解決しようとする課題】
ところで、上記挟持搬送装置の挟持用穀稈ガイドは、搬送無端帯の移送作用部分に沿って位置するガイド杆から直交方向に延出する支持ピンを、装置本体側の保持部材に支持された支持座に進退自在に挿架し、その挿架部分に介装するバネでガイド杆を搬送無端帯の移送作用部分に接近する方向に弾圧付勢させて、搬送無端帯との間に挟持する穀稈量の変化に対応してガイド杆が搬送無端帯の移送作用部分に対して進退動するように構成されるのであるが、このような挟持搬送装置によって移送される穀稈は乾湿度や軟弱度が種々に異なり、また、雑草等が多く混じることもあるので、軟弱穀稈や雑草等が移送途上において詰まりを起こすような事態になることが避けられない。
【０００４】
そこで、移送穀稈の詰まりが生じた場合には、詰まった穀稈を除去しなければならないのであるが、搬送無端帯とガイド杆との間に穀稈挟持力（バネによる弾圧付勢力）が働いている状態では、その穀稈挟持力に抗して穀稈を抜き外すことは容易でない。そのため、詰まった穀稈を除去するに当っては、前出の穀稈挟持力を解除した状態に変更することが必要になるのであるが、従来の挟持搬送装置では、挟持用穀稈ガイドの仕組全体を取外すなどして搬送無端帯の移送作用部分から遠ざける或いは装置本体側に掛回される搬送無端帯を弛緩させてガイド杆との間隙を拡げるなどして詰まった穀稈を除去していたので、挟持用穀稈ガイド仕組の脱着又は搬送無端帯の弛緩緊張に手数が掛り、穀稈ガイド仕組等を詰まった穀稈の除去後に適正な通常状態に再セットするのが容易ではないという問題があった。
【０００５】
【課題を解決するための手段】
本発明は、上記の問題に鑑みて実施したものであって、その目的とするところは、移送途上の詰まり穀稈を極く容易に除去することができると共に、搬送無端帯との間隙調整設定も簡単に行えるように改良された挟持用穀稈ガイド支持装置を提供することにある。
【０００６】
そして、上記目的を達成するため、本発明における挟持用穀稈ガイド支持装置は、基体(１０)に掛回する搬送無端帯(１１)の移送作用部分に沿って位置するガイド杆(１３)を前記移送作用部分に対して接近離間する方向に進退動自在に支承して、前記移送作用部分に接近する方向にバネ(１６)で弾圧付勢して構成される穀稈挟持搬送装置であって、前記ガイド杆(１３)を支承する支持体(１５)を、基体(１０)から延出する保持腕(１７)に設けた保持座(１８)にガイド杆(１３)の進退方向と同方向に移動できるように取付けて保持座(１８)との間に装設する掛止手段(２０)でもって任意の移動位置に固定維持できるようにしてある穀稈挟持搬送装置の挟持用穀稈ガイド支持装置において、前記ガイド杆(１３)を支承する支持体(１５)を、保持座(１８)に装設する案内軸(１９)に沿って内外方向に移動し得るように装架し、その支持体(１５)と保持座(１８)との間に装設する掛止手段(２０)を、支持体(１５)の上部窓(２１)から内挿して案内軸(１９)に軸装する板状レバ−(２２)と、板状レバ−(２２)と支持体(１５)の壁面間に介装する圧縮バネ(２５)とで構成し、板状レバ−(２２)を案内軸(１９)の軸心方向に起倒させることによって、支持体(１５)が案内軸(１９)に沿って内外方向に動き得る状態と、案内軸(１９)に対して掛止固定される状態とに変更できるようにした穀稈挟持搬送装置の挟持用穀稈ガイド支持装置にしている。
【０００７】
【発明の作用及び効果】
本発明の穀稈挟持搬送装置における挟持用穀稈ガイド支持装置においては、搬送無端帯の移送作用部分に対応するガイド杆を支承した支持体を、搬送無端帯の移送作用部分に対して接近離間する方向に移動させて掛止手段で任意の移動位置に固定掛止することができるので、詰まった穀稈を除去するなどの場合には、掛止手段を解除して支持体を搬送無端帯の移送作用部分から遠ざける方向に容易に手数少なく移動させてガイド杆の穀稈挟持力を解くことができ、また、穀稈除去後にガイド杆を元の状態に戻すことも簡単に行うことができる。
【０００８】
また、ガイド杆を進退動自在に支承する支持体を、前記保持座に装設する案内軸に沿って内外方向に移動し得るように装架するとともに、その支持体と保持座との間に装設する掛止手段を、支持体の上部窓から内挿して案内軸に軸装する板状レバ−と、板状レバ−と支持体の壁面間に介装する圧縮バネとで構成したことにより、搬送無端帯の移送作用部分に対するガイド杆の位置変更を、工具を必要とせずワンタッチ所作で行えるので益々詰まり穀稈の除去が容易になり、微細な位置調節ができるから組立誤差などの修正所作も容易に行える。
【０００９】
【実施例】
次に、本発明装置の実施例について図面を参照して説明するが、図１は本発明装置が実施された穀稈挟持搬送装置の一部分の平面図、図２は穀稈挟持搬送装置のガイド支持装置部分を抽出し拡大した平面図、図３は図２の縦断面図、図４は図３の要部を更に拡大した断面図である。
【００１０】
図１において、穀稈挟持搬送装置は、基体(１０)に掛回される搬送無端帯である突起付チエ−ン(１１)と、その突起付チエ−ン(１１)の移送作用部分に対設される挟持用穀稈ガイド(Ａ)とで構成されている。そして、突起付チエ−ン(１１)は、前記基体(１０)に配設されているスプロケット群(１２)に巻回掛張されて、スプロケット群(１２)のうちの何れかを動力駆動することにより所定の方向に回転されるようになっている。
【００１１】
また、挟持用穀稈ガイド(Ａ)は、前記突起付チエ−ン(１１)の移送作用部分に沿って位置するガイド杆(１３)と、ガイド杆(１３)から直交方向に延出する支持ピン(１４)を突起付チエ−ン(１１)の移送作用部分に対して接近離間する方向に摺動可能に支承する支持体(１５)と、前記支持ピン(１４)と支持体(１５)との間に介装するバネ(１６)とで構成され、バネ(１６)の押圧力でガイド杆(１３)を突起付チエ−ン(１１)の移送作用部分に接近する方向に弾圧付勢させている。
【００１２】
そして、前記支持体(１５)は、基体(１０)から突起付チエ−ン(１１)の移送作用部分を迂回して延設されるＵ字状保持腕(１７)の先端部の保持座(１８)に内外方向位置可変に支持させている。つまり、前記支持ピン(１４)に平行する案内軸(１９)を前記保持座(１８)に架設し、その案内軸(１９)に支持体(１５)の前後縦壁部に開設されている同心孔を挿通することにより支持体(１５)を案内軸(１９)に沿って内外方向に動き得るように取付け、支持体(１５)と保持座(１８)との間に設ける掛止手段(２０)でもって支持体(１５)を任意の位置に固定維持できるように構成している。
【００１３】
なお、掛止手段(２０)は、図２〜図４にみられるように、前記支持体(１５)の上部窓(２１)から内挿する板状レバ−(２２)に、前記案内軸(１９)よりもやや径大の孔(２３)を開設し、その孔(２３)を前記案内軸(１９)に挿通することによって板状レバ−(２２)を案内軸(１９)の軸心方向に傾動できるように取付け、板状レバ−(２２)の下方端を支持体(１５)の底壁部に設けた係止溝(２４)に係合させるとともに、板状レバ−(２２)と支持体(１５)の壁面との間に圧縮バネ(２５)を介装して構成されている。
【００１４】
しかして、圧縮バネ(２５)のバネ力で板状レバ−(２２)が図４に実線で示しているように傾斜されると、孔(２３)のコジレ作用でもって板状レバ−(２２)が案内軸(１９)に掛止されて支持体(１５)が保持座(１８)に固定維持され、また、板状レバ−(２２)を圧縮バネ(２５)のバネ力に抗して図４に仮想線で示しているように直立させると、孔(２３)のコジレ作用による掛止が解かれ、支持体(１５)は保持座(１８)に対して内外方向に動き得るようになっている。
【図面の簡単な説明】
【図１】本発明装置が実施された穀稈挟持搬送装置の一部分の平面図である。
【図２】穀稈挟持搬送装置のガイド支持装置部分を抽出し拡大した平面図である。
【図３】図２の縦断面図である。
【図４】図３の要部を更に拡大した断面図である。
【符号の説明】
１０  基体
１１  搬送無端帯
１３  ガイド杆
１５  支持体
１６  バネ
１７  保持腕
１８  保持座
１９  案内軸
２０  掛止手段
２１  上部窓
２２  板状レバ−
２５  圧縮バネ
【図１】
0003736889.tif 000002
【図２】
0003736889.tif 000003
【図３】
0003736889.tif 000004
【図４】
0003736889.tif 000005